(57)【要約】【課題】電源コードがフック部から脱落するのを防止し、フック部であらゆる方向に対しスムーズに滑ることができるアップライト型電気掃除機を提供する。【解決手段】電気掃除機本体１の上部に設けられた延長管８と、延長管８に取り付けられた操作ハンドル体９と、電気掃除機本体１から外部に伸び出る電源コード７と、操作ハンドル体９に設けられ電源コード７を着脱自在に収納するフック部１０と、を備え、フック部１０は、弾性フラップ１０ａと、この弾性フラップ１０ａと係合する支持部１０ｂとを有し、弾性フラップ１０ａと支持部１０ｂが係合することで閉口形状を形成し、この閉口形状において電源コード７を摺動自在に収納可能としたことで、電源コード７がフック部１０から脱落するのを防止し、フック部１０で電源コード７がスムーズに滑ることができ、使用性の向上が図れるものである。【選択図】図３
2014068735.tif 000002
【特許請求の範囲】
【請求項１】
電動送風機を内蔵し集塵室を装着した電気掃除機本体と、
前記電気掃除機本体の下部に設けられた吸引ノズル体と、
前記電気掃除機本体の上部に設けられた延長管と、
前記延長管に取り付けられた操作ハンドル体と、
前記電気掃除機本体から外部に伸び出る電源コードと、
前記操作ハンドル体に設けられ前記電源コードを着脱自在に収納するフック部と、を備え、
前記フック部は、弾性フラップと、この弾性フラップと係合する支持部とを有し、前記弾性フラップと前記支持部が係合することで閉口形状を形成し、この閉口形状において前記電源コードを摺動自在に収納可能としたアップライト型電気掃除機。
【請求項２】
前記フック部の閉口形状における内側側面の対面間距離の最小寸法は、電源コードの直径より大きく設定した請求項１に記載のアップライト型電気掃除機。
【発明の詳細な説明】
【技術分野】
【０００１】
本発明は、電気掃除機の電源コードを保持するためのフック部に関するもので、特に、吸引ノズル体が掃除機本体の下端に接続され、掃除機の上端に延長管が装着され、この延長管が掃除機本体に対し伸縮できる、或いは掃除機本体から抜き出すことができるアップライト型電気掃除機に関するものである。
【背景技術】
【０００２】
アップライト型電気掃除機では、電動送風機を内蔵し集塵室を装着した掃除機本体の下端に吸引ノズル体が接続され、掃除機の上端に延長管が装着され、この延長管に取り付けられた操作ハンドル体を操作することにより、吸引ノズル体が掃除機本体と共に動くように操作される。
【０００３】
このようなアップライト型電気掃除機では、掃除機本体のコード引出口から引き出された電源コードがコード引出口下方に垂れている。コード引出口から吸引ノズル体までの距離が短いため、使用中掃除機本体を傾けても、床面に垂れている電源コードと吸引ノズル体の間に十分な間隔が取れなく、掃除機を前後に移動する際、電源コードが吸引ノズル体に絡み付きになったり、掃除する人の進行の障害になったりすると共に、電源コードに損傷を与える恐れもある。
【０００４】
そのため、掃除機本体から引き出された電源コードを延長管に沿って、吸引ノズル体から離れた操作ハンドル体に係り止めフック部を設けることが提案されている（例えば、特許文献１参照）。
【０００５】
図４（ａ）、図４（ｂ）は、特許文献１に記載された従来のフック部構造である。このフック部は延長管１４の外周壁１４ａから延長管１４の周方向へ互いに一様な間隔Ｗ１を置いて立ち上がる一対の側壁部２２ａと、該各側壁部の頂部から互いに相近づく方向へ伸びる係止部２２ｂとを備える。
【０００６】
間隔Ｗ１及びＨは電源コード２１の最大寸法より大きく設定されておる。各側壁部２２ａの頂部から伸びる係止部２２ｂの互いに向き合う縁部２３は延長管の長手方向における両端部間の中間部より両端部のいずれか一方の端部へ向けて八字状に広がっている。電源コードがこのフック部に係止され、使用中は吸引ノズル体に絡み付くことを防ぐことができる。
【先行技術文献】
【特許文献】
【０００７】
【特許文献１】特開２００５−１８５５８５号公報
【発明の概要】
【発明が解決しようとする課題】
【０００８】
しかしながら、延長管が掃除機本体に対して移動できる構造を有する掃除機において、延長管を掃除機本体に対し伸縮する際、或いは延長管を掃除機本体から抜き出す際、フック部に収納された電源コードがフック部の八字状に引っ掛かったり、フック部から脱落したりする課題があった。
【０００９】
そこで、本発明は、前記従来の課題を解決するもので、電源コードがフック部から脱落するのを防止し、フック部での滑りをスムーズにした電気掃除機を提供することを目的と
する。
【課題を解決するための手段】
【００１０】
本発明は、電動送風機を内蔵し集塵室を装着した電気掃除機本体と、前記電気掃除機本体の下部に設けられた吸引ノズル体と、前記電気掃除機本体の上部に設けられた延長管と、前記延長管に取り付けられた操作ハンドル体と、前記電気掃除機本体から外部に伸び出る電源コードと、前記操作ハンドル体に設けられ前記電源コードを着脱自在に収納するフック部と、を備え、
前記フック部は、弾性フラップと、この弾性フラップと係合する支持部とを有し、前記弾性フラップと前記支持部が係合することで閉口形状を形成し、この閉口形状において前記電源コードを摺動自在に収納可能としたアップライト型電気掃除機であり、これにより、電源コードがフック部から脱落するのを防止し、かつ、フック部であらゆる方向に対しスムーズに滑ることができ、使用性の向上が図れるものである。
【発明の効果】
【００１１】
本発明によれば、電源コードがフック部から脱落するのを防止し、フック部であらゆる方向に対しスムーズに滑ることができ、使用性の向上が図れるものである。
【図面の簡単な説明】
【００１２】
【図１】本発明の実施の形態１におけるフック部を示す部分断面図
【図２】同、フック部の弾性フラップが押された状態を示す部分断面図
【図３】同、フック部が設けられたアップライト型電気掃除機を示す側面図
【図４】（ａ）従来のフック部を示す部分拡大図、（ｂ）図４（ａ）のＡ−Ａ断面図
【発明を実施するための形態】
【００１３】
第１の発明は、電動送風機を内蔵し集塵室を装着した電気掃除機本体と、前記電気掃除機本体の下部に設けられた吸引ノズル体と、前記電気掃除機本体の上部に設けられた延長管と、前記延長管に取り付けられた操作ハンドル体と、前記電気掃除機本体から外部に伸び出る電源コードと、前記操作ハンドル体に設けられ前記電源コードを着脱自在に収納するフック部と、を備え、
前記フック部は、弾性フラップと、この弾性フラップと係合する支持部とを有し、前記弾性フラップと前記支持部が係合することで閉口形状を形成し、この閉口形状において前記電源コードを摺動自在に収納可能としたもので、延長管を掃除機本体に対し伸縮する際、或いは延長管を掃除機本体から抜き出す際、電源コードがフック部からの脱落するのを防止し、かつ、フック部であらゆる方向に対しスムーズに滑ることができ、使用性の向上が図れるものである。
【００１４】
第２の発明は、フック部の閉口形状における内側側面の対面間距離の最小寸法は、電源コードの直径より大きく設定したもので、電源コードがフック部の内側面であらゆる方向に対しスムーズに摺動でき、使用性の向上を図ることができる。
【００１５】
以下、本発明の実施の形態について、図面を参照しながら説明する。なお、この実施の形態によって本発明が限定されるものではない。
【００１６】
（実施の形態１）
図１は、本発明の操作ハンドル体９に一体に設けられたフック部１０を示す部分断面図、図２は本発明の操作ハンドル体９に一体に設けられたフック部１０の弾性フラップ１０ａの動作を示す部分断面図、図３は本発明のフック部１０を備えたアップライト型電気掃除機の側面図である。
【００１７】
図３において、本発明の実施の形態１における電気掃除機本体１は、電動送風機（図示せず）を内蔵し集塵室３が装着され、電気掃除機本体１の下方に吸引ノズル体２、上方に延長管８それぞれ設置され、この延長管に取り付けられた操作ハンドル体９を操作することにより、吸引ノズル体２が電気掃除機本体１と共に動くように操作される。
【００１８】
吸引ノズル体２を利用して掃除する場合は、塵埃は吸引ノズル体２から吸引され、集塵室３に捕獲され、気流は排気パイプ４を経由し、排気口６から排出される。
【００１９】
一方、延長管８を電気掃除機本体１から抜き出して掃除する場合は、まず電気掃除機本体１を縦にすることにより、吸引ノズル体２の流路が遮断され、塵埃は延長管８から吸引され、吸引ホース５を通して、集塵室３に捕獲され、気流は排気パイプ４を経由し、排気口６から排出される。
【００２０】
電気掃除機本体１を前後に動かす際、電源コード７が吸引ノズル体２に絡み付かないようにするため、電源コード７を操作ハンドル体９の外周壁に設けられたフック部１０へ収納する。
【００２１】
本発明に係る電気掃除機のフック部１０は図２に示すように、弾性フラップ１０ａを有し、弾性フラップ１０ａを操作ハンドル体９方向へ押しながら、電源コード７をフック部１０の中に挿入し、弾性フラップ１０ａへの押す力を解除すると、弾性フラップ１０ａが元に戻り、図１に示すように、フック部１０は弾性フラップ１０ａと支持部１０ｂの嵌合により、閉口形状１３になり、電源コード７を収納するものである。そして、掃除中、特に延長管８で掃除する際、電源コード７の脱落が防止される。また、フック部１０は電源コード７を着脱自在に収納可能な構成にしている。
【００２２】
フック部１０の閉口形状１３における内側側面の対面間距離の最小寸法Ｗは、電源コード７の直径より大きく設定されている。これにより、電源コード７がフック部１０の内側面のあらゆる方向に対して、スムーズに摺動でき、使用性の向上を図ることができる。
【００２３】
また、図１に示すように、弾性フラップ１０ａと支持部１０ｂとの係合部１１において、弾性フラップ１０ａの内側面と支持部１０ｂの内側面との段差は極力少なくして、ほぼ同一面にするのが望ましい。これにより、電源コード７がフック部１０の内側面の段差で引っ掛からず、さらにスムーズに摺動でき、使用性の向上を図ることができる。
【００２４】
電気掃除機の不使用時には、電源コード７をフック部１０から外すか、フック部１０に収納したまま、プラグ（図示せず）までをコード掛け１２に巻き付けて、電気掃除機を収納する。
【００２５】
尚、上記実施の形態１の説明では、理想的な形態として、本発明の電気掃除機でのフック部は合成樹脂にて操作ハンドル体と一体成形された場合で説明したが、必ずしもこの形態に特に限定されるものではなく、上述と同様の効果が得られれば、フック部と操作ハンドル体との結合方法は一体成形でなく、別部品同士の組み合わせであっても構わないものである。
【産業上の利用可能性】
【００２６】
以上のように、本発明に関わるアップライト型電気掃除機は、電源コードがフック部からの脱落がなく、フック部内周でスムーズに摺動できるので、汎用性の高い構成であり、家庭用、業務用の各種電気掃除機に適用できる。
【符号の説明】
【００２７】
１  電気掃除機本体
２  吸引ノズル体
３  集塵室
５  吸引ホース
７  電源コード
８  延長管
９  操作ハンドル体
１０  フック部
１０ａ  弾性フラップ
１０ｂ  支持部
１１  係合部
１３  閉口形状
【図１】
2014068735.tif 000003
【図２】
2014068735.tif 000004
【図３】
2014068735.tif 000005
【図４】
2014068735.tif 000006